(57)【特許請求の範囲】
【請求項１】
連続状シートを収納する収納部と、
前記収納部の開口を開閉する蓋体と、
前記収納部から引き出される前記連続状シートに印字を行う印字ヘッドと、
前記蓋体に回動自在に設けられる可動プラテンであって、前記蓋体の開操作に伴って前記印字ヘッドの近接対向位置から後退し、且つ、前記蓋体の閉操作に伴って前記印字ヘッドの近接対向位置に向けて前進するものと、
前記可動プラテンの自由端側に設けられ、プリンタ内部に設けられる第１の固定搬送ローラとの間で前記連続状シートを搬送する第１の可動搬送ローラと、
前記可動プラテンの自由端側に設けられ、前記蓋体の閉操作時に前記可動プラテンを位置決めガイドする位置決めガイド部と、
前記蓋体の開閉操作に伴って前記可動プラテンを回動させるガイド部材であって、前記蓋体の全閉位置近傍で前記可動プラテンの回動を略停止させて、前記位置決めガイド部をプリンタ内部の固定ガイド部に係合させるものと、
を備えることを特徴とするプリンタ。
【請求項２】
前記可動プラテンの固定端側に設けられ、プリンタ内部に設けられる第２の固定搬送ローラとの間で前記連続状シートを搬送する第２の可動搬送ローラを更に備えることを特徴とする請求項１に記載のプリンタ。
【請求項３】
連続状シートを収納する収納部と、
前記収納部の開口を開閉する蓋体と、
前記収納部から引き出される前記連続状シートに印字を行う印字ヘッドと、
前記蓋体に回動自在に設けられる可動プラテンであって、前記蓋体の開操作に伴って前記印字ヘッドの近接対向位置から後退し、且つ、前記蓋体の閉操作に伴って前記印字ヘッドの近接対向位置に向けて前進するものと、
前記可動プラテンの自由端側に設けられ、プリンタ内部に設けられる第１の固定搬送ローラとの間で前記連続状シートを搬送する第１の可動搬送ローラと、
前記可動プラテンの自由端側に設けられ、前記蓋体の閉操作時に前記可動プラテンを位置決めガイドする位置決めガイド部と、
前記可動プラテンの固定端側に設けられ、プリンタ内部に設けられる第２の固定搬送ローラとの間で前記連続状シートを搬送する第２の可動搬送ローラと、
を備えることを特徴とするプリンタ。
【請求項４】
前記蓋体が閉操作されたとき、前記第２の可動搬送ローラが、前記印字ヘッドの下流側で前記第２の固定搬送ローラに当接した後、前記第１の可動搬送ローラが、前記印字ヘッドの上流側で前記第１の固定搬送ローラに当接することを特徴とする請求項２又は３に記載のプリンタ。
【請求項５】
前記印字ヘッドと前記可動プラテンとの間に単票シートを導入し、且つ、印字した前記単票シートを排出する単票シート搬送路と、印字した前記単票シートと前記連続状シートとを分岐案内する分岐体とを更に備え、前記第２の固定搬送ローラが、前記分岐体に設けられていることを特徴とする請求項２〜４の何れかに記載のプリンタ。
【請求項６】
前記分岐体は、連続状シート搬送路に対して進退方向回動自在に構成されると共に、押えバネによって前進方向に付勢されていることを特徴とする請求項５に記載のプリンタ。
【請求項７】
前記分岐体は、前記連続状シートを切断するための固定刃を備えることを特徴とする請求項５又は６に記載のプリンタ。
【請求項８】
連続状シートを収納する収納部と、
前記収納部の開口を開閉する蓋体と、
前記収納部から引き出される前記連続状シートに印字を行う印字ヘッドと、
前記蓋体に回動自在に設けられる可動プラテンであって、前記蓋体の開操作に伴って前記印字ヘッドの近接対向位置から後退し、且つ、前記蓋体の閉操作に伴って前記印字ヘッドの近接対向位置に向けて前進するものと、
前記可動プラテンの自由端側に設けられ、プリンタ内部に設けられる固定搬送ローラとの間で前記連続状シートを搬送する可動搬送ローラと、
前記可動プラテンの自由端側に設けられ、前記蓋体の閉操作時に前記可動プラテンを位置決めガイドする位置決めガイド部と、を備え、
前記位置決めガイド部のガイド方向は、前記可動プラテンが前記印字ヘッドから逃げる方向に対して略直交することを特徴とするプリンタ。
【請求項９】
連続状シートを収納する収納部と、
前記収納部の開口を開閉する蓋体と、
前記収納部から引き出される前記連続状シートに印字を行う印字ヘッドと、
前記蓋体に回動自在に設けられる可動プラテンであって、前記蓋体の開操作に伴って前記印字ヘッドの近接対向位置から後退し、且つ、前記蓋体の閉操作に伴って前記印字ヘッドの近接対向位置に向けて前進するものと、
前記可動プラテンの自由端側に設けられ、プリンタ内部に設けられる固定搬送ローラとの間で前記連続状シートを搬送する可動搬送ローラと、
前記可動プラテンの自由端側に設けられ、前記蓋体の閉操作時に前記可動プラテンを位置決めガイドする位置決めガイド部と、を備え、
前記位置決めガイド部のガイド方向は、前記可動搬送ローラと前記固定搬送ローラとの接線方向に対して略直交することを特徴とするプリンタ。
【請求項１０】
連続状シートを収納する収納部を有する筐体と、
前記収納部の開口を開閉する蓋体と、
前記収納部から引き出される前記連続状シートに印字を行う印字ヘッドと、
前記蓋体に回動自在に設けられ、前記印字ヘッドの近接対向位置で前記連続状シートの裏面を案内する可動プラテンであって、前記蓋体の開操作に伴って前記近接対向位置から後退し、且つ、前記蓋体の閉操作に伴って前記近接対向位置に向けて前進するものと、
前記蓋体の開閉に伴い、前記可動プラテンの固定端側と係合して前記可動プラテンの自由端側を背反方向に回動させるガイド部材と、
前記可動プラテンの自由端側に設けられ、前記筐体側に設けられる固定搬送ローラとの間で前記連続状シートを搬送する可動搬送ローラと、
前記可動プラテンの自由端側に設けられ、前記蓋体の閉操作時に前記可動プラテンを位置決めガイドする位置決めガイド部と、
を備えることを特徴とするプリンタ。
【発明の詳細な説明】
【０００１】
【発明の属する技術分野】
本発明は、ロール紙等の連続状シートに印字を行うプリンタに関し、特に、蓋体の開操作に伴ってプラテンを印字ヘッドの近接対向位置から退避させるプリンタに関する。
【０００２】
【従来の技術】
内部にロール紙を収納する収納部を備え、該収納部からロール紙を引き出して印字を行うプリンタが知られている。この種のプリンタにおいては、ロール紙を交換した際に、収納部から手動でロール紙を引き出すと共に、引き出したロール紙を所定の紙搬送路に沿ってセットする必要があるため、紙搬送路の一側を形成するプラテンや搬送ローラを、収納部の開口を開閉する蓋体側に設けることが提唱される。つまり、このものでは、ロール紙を交換すべく蓋体を開くと、プラテンや搬送ローラが蓋体と共に退避して紙搬送路が開放されるので、ロール紙を紙搬送路に容易に沿わせることが可能になる。
【０００３】
【発明が解決しようとする課題】
しかしながら、前記プラテンの退避移動方向に空間が無いプリンタにおいては、プラテンを蓋体と共に退避させることができず、例えば、ロール紙と共に単票紙にも印字を行うことが可能なプリンタでは、プラテンの上方近傍に排紙分岐体が配置されており、この排紙分岐体がプラテンの退避移動を阻害する不都合がある。
【０００４】
そこで、特開２０００−１１８０６４号公報に示す如く、前記プラテンを、蓋体の開操作に伴って印字ヘッド近接対向位置から後退させ、且つ、蓋体の閉操作に伴って印字ヘッド近接対向位置に向けて前進させる動作を付加することにより、排紙分岐体等のプリンタ内部部材との干渉を回避しつつプラテンを蓋体と共に退避させることが提案されているが、上記公報のものでは、プラテンを印字ヘッド近接対向位置から後退させるために、大掛かりなスライド機構を採用しているので、下記に示すような問題点がある。
（１）スライド機構の摺動抵抗によって蓋体の円滑な開閉が阻害される可能性がある。
（２）大掛かりなスライド機構を内装することによりプリンタの大型化を招く。
（３）スライド機構をロール紙収納部の上方から退避させるために、蓋体を外方に大きく開放させなければならず、プリンタの周囲に広いスペースが必要になる。
【０００５】
従って、本発明の目的は、蓋体の開操作時に、プリンタ内部部材との干渉を回避しつつ、プラテンや搬送ローラを退避させるものでありながら、蓋体の円滑な開閉を阻害したり、プリンタの大型化を招く不都合がないうえに、プリンタの周囲に広いスペースを確保する必要がなく、しかも、可動プラテンを正確に位置決めして印字不良や搬送不良を防止することができるプリンタを提供することにある。
【０００６】
【課題を解決するための手段】
上記目的を達成するため本発明のプリンタは、連続状シートを収納する収納部と、前記収納部の開口を開閉する蓋体と、前記収納部から引き出される前記連続状シートに印字を行う印字ヘッドと、前記蓋体に回動自在に設けられる可動プラテンであって、前記蓋体の開操作に伴って前記印字ヘッドの近接対向位置から後退し、且つ、前記蓋体の閉操作に伴って前記印字ヘッドの近接対向位置に向けて前進するものと、前記可動プラテンの自由端側に設けられ、プリンタ内部に設けられる固定搬送ローラとの間で前記連続状シートを搬送する可動搬送ローラと、前記可動プラテンの自由端側に設けられ、前記蓋体の閉操作時に前記可動プラテンを位置決めガイドする位置決めガイド部とを備えて構成される。
【０００７】
また、前記可動プラテンの固定端側に設けられ、プリンタ内部に設けられる第２の固定搬送ローラとの間で前記連続状シートを搬送する第２の可動搬送ローラを更に備えることが好ましい。この場合においては、第１および第２の搬送ローラ対で紙搬送を行うことにより、連続状シートの搬送不良を防止でき、しかも、蓋体の閉操作時に、連続状シートを第１および第２の可動搬送ローラで押えることにより、連続状シートに適度なテンションを与え、連続状シートの弛みに起因する印字不良を防止することができる。
【０００８】
また、前記蓋体が閉操作されたとき、第２の可動搬送ローラが、前記印字ヘッドの下流側で第２の固定搬送ローラに当接した後、第１の可動搬送ローラが、前記印字ヘッドの上流側で第１の固定搬送ローラに当接することが好ましい。この場合においては、蓋体の閉操作時に、第１および第２の可動搬送ローラがタイミングをずらして連続状シートを押えるため、連続状シートに無理な力が作用したり、弛み状態の連続状シートをそのまま両可動搬送ローラが押えてしまう不都合を回避することができる。
【０００９】
また、前記蓋体の開閉操作に伴って前記可動プラテンを回動させるガイド部材であって、前記蓋体の全閉位置近傍で前記可動プラテンの回動を略停止させて、前記位置決めガイド部をプリンタ内部の固定ガイド部に係合させるものを更に備えることが好ましい。この場合においては、位置決めガイド部を固定ガイド部に確実に係合させ、可動プラテンを正確に位置決めすることができる。
【００１０】
また、前記印字ヘッドと前記可動プラテンとの間に単票シートを導入し、且つ、印字した前記単票シートを排出する単票シート搬送路と、印字した前記単票シートと前記連続状シートとを分岐案内する分岐体とを更に備え、前記第２の固定搬送ローラが、前記分岐体に設けられていることが好ましい。この場合においては、分岐部における紙搬送を確実にすることができる許りでなく、分岐体を第２固定搬送ローラの支持部材に兼用することができる。
【００１１】
また、前記分岐体は、連続状シート搬送路に対して進退方向回動自在に構成されると共に、押えバネによって前進方向に付勢されていることが好ましい。この場合においては、可動プラテンとの接触時に分岐体を逃がすことができる許りでなく、押えバネの付勢力で確実な紙押えを行うことができる。
【００１２】
また、前記分岐体は、前記連続状シートを切断するための固定刃を備えることが好ましい。この場合においては、分岐体を固定刃の支持部材に兼用することができる。
【００１３】
また、前記位置決めガイド部のガイド方向は、前記可動プラテンが前記印字ヘッドから逃げる方向に対して略直交することが好ましい。この場合においては、可動プラテンの逃げを位置決めガイドで確実に規制し、可動プラテンの逃げに起因する印字不良を防止することができる。
【００１４】
また、前記位置決めガイド部のガイド方向は、前記第１の可動搬送ローラと前記第１の固定搬送ローラとの接線方向に対して略直交することが好ましい。この場合においては、第１の可動搬送ローラを第１の固定搬送ローラに対して正確に位置決めし、両搬送ローラの位置ズレに起因する搬送不良を防止することができる。
【００１５】
【発明の実施の形態】
以下、本発明の一実施形態を図面に沿って説明する。図１は、本発明の一実施形態に係るプリンタの蓋体閉状態を示す斜視図、図２は、プリンタの蓋体開状態を示す斜視図、図３は、プリンタユニットの蓋体閉状態を示す斜視図、図４は、プリンタユニットの蓋体開状態を示す斜視図、図５は、プリンタユニットの側断面図である。これらの図に示すように、プリンタ１０は、プリンタユニット１１をカバー１２で覆って構成される。プリンタ１０は、ロール紙（連続状シート）Ｐ１を収納するロール紙収納部１３と、単票紙（カット紙、スリップ紙等の単票シート）Ｐ２を挿入する単票紙挿入口１４とを有し、ロール紙収納部１３から引き出されるロール紙Ｐ１と、単票紙挿入口１４から挿入される単票紙Ｐ２とが共通の印字位置１５を通って搬送されるようにロール紙搬送路および単票紙搬送路が構成されている。印字位置１５には、印字ヘッド１６と可動プラテン１７とが近接対向状態で配置されており、その下流側には、ロール紙Ｐ１と単票紙Ｐ２との排紙経路を分岐させる分岐体１８が設けられている。
【００１６】
ロール紙収納部１３から引き出されたロール紙Ｐ１は、第１固定搬送ローラ１９（駆動側）と第１可動搬送ローラ２０（従動側）との間を通って印字位置１５に至り、さらに分岐体１８の後側で第２固定搬送ローラ２１（従動側）と第２可動搬送ローラ２２（駆動側）との間を通ってロール紙排出口２３から排出される。一方、単票紙挿入口１４から挿入された単票紙Ｐ２は、単票紙搬送ローラ２４の後側を通って印字位置１５に至り、さらに分岐体１８の前側を通って単票紙排出口２５から排出される。
【００１７】
ロール紙収納部１３の上方には、開口部２６が形成されており、該開口部２６を介してロール紙Ｐ１の交換等が行われる。開口部２６は、ユニットフレーム２７の後部に上下回動自在に設けられる蓋体２８によって開閉される。蓋体２８の開閉は、蓋体２８が閉位置に達したとき、その先端側に設けられる左右一対のフックレバー２９が、ユニットフレーム２７側に設けられるロックピン３０に係合することによって自動的にロックされ、また、フックレバー２９による蓋体２８の開閉ロックは、ロック解除レバー３１の操作に応じて解除される。
【００１８】
蓋体２８の先端部には、前記可動プラテン１７がプラテン支軸３２を介して前後回動自在に支持されている。可動プラテン１７の自由端側には、ローラ支軸３３を介して前記第１可動搬送ローラ２０が設けられており、固定端側には、プラテン支軸３２を介して前記第２可動搬送ローラ２２が設けられている。駆動ローラである第２可動搬送ローラ２２は、蓋体２８が全閉状態のとき、可動プラテン１７の一側部に設けられるギヤ伝動機構３４を介して搬送モータ（図示せず）に連動連結され、該搬送モータの動力で駆動回転する。さらに、可動プラテン１７は、図示しない後退用弾機によって蓋体２８の下面側に付勢されており、蓋体２８が開状態のときは、後退用弾機の付勢力で可動プラテン１７が蓋体２８の下面に沿う姿勢に保持される。
【００１９】
一方、ユニットフレーム２７側には、蓋体２８の開閉に伴って可動プラテン１７を回動させるガイド部材３５が設けられている。ガイド部材３５は、可動プラテン１７の固定端側に突設される左右一対の係合レバー３６に係合し、可動プラテン１７を回動させる。以下、図６〜図１１に沿って可動プラテン１７の基本的な動作を説明する。
【００２０】
図６は、蓋体全開状態を示すプリンタユニットの側面図である。この図に示されるように、蓋体２８が全開状態のときは、後退用弾機の付勢力によって可動プラテン１７が蓋体２８の下面に沿う姿勢に保持され、ロール紙収納部１３の上方が広く開放される。また、可動プラテン１７、第１可動搬送ローラ２０および第２可動搬送ローラ２２が蓋体２８と共に退避することにより、ロール紙搬送路の一側が開放される。この状態でロール紙Ｐ１の収納を行うと共に、ロール紙収納部１３からロール紙Ｐ１を引き出してロール紙搬送路に沿わせる。
【００２１】
図７は、蓋体半開状態を示すプリンタユニットの側面図、図８は、係合レバーがガイド部材に当った状態を示すプリンタユニットの側面図、図９は、可動プラテンが回動を開始した状態を示すプリンタユニットの側面図、図１０は、蓋体が全閉位置に至る直前の状態を示すプリンタユニットの側面図である。これらの図に示されるように、ロール紙Ｐ１を収納した後、蓋体２８を閉操作すると、可動プラテン１７の係合レバー３６がガイド部材３５に係合する。さらに、蓋体２８を閉側に押すと、ガイド部材３５によって下動が規制される係合レバー３６は、蓋体２８に対して後退方向に相対回動し、それに伴って可動プラテン１７が後退用弾機の付勢力に抗して背反的に前進方向に相対回動する。これにより、可動プラテン１７は、蓋体２８と共に下動しながら前進方向に回動し、分岐体１８の下側空間に進入する。
【００２２】
図１１は、蓋体全閉状態を示すプリンタユニットの側面図である。この図に示されるように、蓋体２８がフックレバー２９による自動ロック位置（全閉位置）まで閉操作されると、可動プラテン１７が印字ヘッド１６の近接対向位置に達すると共に、第１可動搬送ローラ２０および第２可動搬送ローラ２２がロール紙Ｐ１を押え、プリンタ１０が印字可能な状態となる。
【００２３】
一方、蓋体２８が全閉した状態でロック解除レバー３１を操作すると、蓋体２８の開操作が可能になる。蓋体２８を開方向に引くと、係合レバー３６が閉操作時と逆の作用によって前進方向に相対回動し、それに伴って可動プラテン１７が背反的に後退方向に相対回動する。これにより、可動プラテン１７は、蓋体２８と共に上動しながら後退方向に回動し、分岐体１８の下側空間から退避する。
【００２４】
ところで、上記のように蓋体２８を閉操作した場合、まず、第２可動搬送ローラ２２が、印字ヘッド１６の下流側で第２固定搬送ローラ２１に当接した後、第１可動搬送ローラ２０が、印字ヘッド１６の上流側で第１固定搬送ローラ１９に当接する。これにより、ロール紙搬送路に沿って引き出されたロール紙Ｐ１に適度なテンションを与えることができ、しかも、第１および第２可動搬送ローラ２０、２２がタイミングをずらしてロール紙Ｐ１を押えることにより、ロール紙Ｐ１に無理な力が作用したり、弛み状態のロール紙Ｐ１をそのまま両可動搬送ローラ２０、２２が押えてしまう不都合を回避することが可能になる。
【００２５】
可動プラテン１７は、更に、自由端側の左右両側面部に位置決めガイド部３７を備えている。位置決めガイド部３７は、下方が開口するガイド溝３７ａを形成しており、ユニットフレーム２７側に設けられる固定ガイドピン（固定ガイド部）３８との係合により、可動プラテン１７を印字ヘッド１６の近接対向位置に位置決めする。つまり、図１０に示すように、蓋体２８が全閉直前位置まで閉操作されると、ガイド部材３５が可動プラテン１７の回動を略停止状態とし、多少の自由回動を許容する状態で可動プラテン１７を略垂直方向に下降させる。このとき、位置決めガイド部３７の下部に形成される傾斜ガイド面３７ｂが固定ガイドピン３８に接当すると共に、ガイド溝３７ａが固定ガイドピン３８に係合するように可動プラテン１７を位置決めガイドする。これにより、可動プラテン１７が印字ヘッド１６の近接対向位置に正確に位置決めされることになる。また、上記ガイド溝３７ａのガイド方向（係合方向）は、可動プラテン１７が印字ヘッド１６から逃げる方向に対して略直交し、しかも、第１可動搬送ローラ２０と第１固定搬送ローラ１９との接線方向に対して略直交するように設定される。そのため、可動プラテン１７の逃げを位置決めガイド部３７で確実に規制することができる許りでなく、第１可動搬送ローラ２０を第１固定搬送ローラ１９に対して正確に位置決めすることが可能になる。
【００２６】
図１２は、分岐体の斜視図である。この図に示されるように、分岐体１８は、単票紙搬送路を形成する分岐板３９と、該分岐板３９の裏面に設けられ、前記第２固定搬送ローラ２１を回転自在に軸支する支持部材４０と、該支持部材４０に設けられ、ロール紙Ｐ１の排出部分を切断するための固定刃４１とを備えて構成される。本実施形態の分岐体１８は、ユニットフレーム２７に分岐体支軸４２を介して前後回動自在に設けられており、分岐体支軸４２の左右両端部に設けられる押えバネ４３によって可動プラテン１７側に付勢されている。そのため、図１０に示すように、可動プラテン１７が分岐体１８に接触したとき、分岐体１８を逃がして可動プラテン１７および分岐体１８の破損を回避でき、しかも、図１１に示す蓋体全閉状態においては、押えバネ４３の付勢力で第２固定搬送ローラ２１を第２可動搬送ローラ２２に圧接させることにより、確実な紙搬送を行うことが可能になる。尚、押えバネ４３の一端側は、ユニットフレーム２７側の溝部に係合され、他端側は、支持部材４０の凸部４０ａに係合される。
【００２７】
以上の如く、本実施形態によれば、プリンタ１０は、ロール紙Ｐ１を収納するロール紙収納部１３と、該ロール紙収納部１３の開口部２６を開閉する蓋体２８と、前記ロール紙収納部１３から引き出されるロール紙Ｐ１に印字を行う印字ヘッド１６と、前記蓋体２８に回動自在に設けられる可動プラテン１７であって、蓋体２８の開操作に伴って印字ヘッド１６の近接対向位置から後退し、且つ、蓋体２８の閉操作に伴って印字ヘッド１６の近接対向位置に向けて前進するものと、前記可動プラテン１７の自由端側に設けられ、プリンタ内部に設けられる第１固定搬送ローラ１９との間でロール紙Ｐ１を搬送する第１可動搬送ローラ２０と、前記可動プラテン１７の自由端側に設けられ、蓋体２８の閉操作時に可動プラテン１７を位置決めガイドする位置決めガイド部３７とを備えて構成される。そのため、蓋体２８の開操作時に、プリンタ内部部材との干渉を回避しつつ、プラテンや搬送ローラを退避させるものでありながら、蓋体２８の円滑な開閉を阻害したり、プリンタ１０の大型化を招く不都合がないうえに、プリンタ１０の周囲に広いスペースを確保する必要がなく、しかも、可動プラテン１７を正確に位置決めして印字不良や搬送不良を防止することができる。
【００２８】
また、可動プラテン１７の固定端側に設けられ、プリンタ内部に設けられる第２固定搬送ローラ２１との間でロール紙Ｐ１を搬送する第２可動搬送ローラ２２を更に備えるため、ロール紙Ｐ１の搬送不良を防止でき、しかも、蓋体２８の閉操作時に、ロール紙Ｐ１を第１および第２の可動搬送ローラ２０、２２で押えることにより、ロール紙Ｐ１に適度なテンションを与え、ロール紙Ｐ１の弛みに起因する印字不良を防止することができる。
【００２９】
また、蓋体２８が閉操作されたとき、第２可動搬送ローラ２２が、印字ヘッド１６の下流側で第２固定搬送ローラ２１に当接した後、第１可動搬送ローラ２０が、印字ヘッド１６の上流側で第１固定搬送ローラ１９に当接するため、ロール紙Ｐ１に無理な力が作用したり、弛み状態のロール紙Ｐ１をそのまま両可動搬送ローラ２０、２２が押えてしまう不都合を回避することができる。
【００３０】
また、蓋体２８の開閉操作に伴って可動プラテン１７を回動させるガイド部材３５であって、蓋体２８の全閉位置近傍で可動プラテン１７の回動を略停止させて、位置決めガイド部３７をプリンタ内部の固定ガイドピン３８に係合させるものを更に備えるため、位置決めガイド部３７を固定ガイドピン３８に確実に係合させ、可動プラテン１７を正確に位置決めすることができる。
【００３１】
また、印字ヘッド１６と可動プラテン１７との間に単票紙Ｐ２を導入し、且つ、印字した単票紙Ｐ２を排出する単票紙搬送路と、印字した単票紙Ｐ２と前記ロール紙Ｐ１とを分岐案内する分岐体１８とを更に備え、前記第２固定搬送ローラ２２が、分岐体１８に設けられているため、分岐部における紙搬送を確実にすることができる許りでなく、分岐体１８を第２固定搬送ローラ２２の支持部材に兼用することができる。
【００３２】
また、分岐体１８は、ロール紙搬送路に対して進退方向回動自在に構成されると共に、押えバネ４３によって前進方向に付勢されているため、可動プラテン１７との接触時に分岐体１８を逃がすことができる許りでなく、押えバネ４３の付勢力で確実な紙押えを行うことができる。
【００３３】
また、分岐体１８は、ロール紙Ｐ１を切断するための固定刃４１を備えるため、分岐体１８を固定刃４１の支持部材に兼用することができる。
【００３４】
また、位置決めガイド部３７のガイド方向は、可動プラテン１７が印字ヘッド１６から逃げる方向に対して略直交するため、可動プラテン１７の逃げを位置決めガイド部３７で確実に規制し、可動プラテン１７の逃げに起因する印字不良を防止することができる。
【００３５】
また、位置決めガイド部３７のガイド方向は、第１可動搬送ローラ２０と第１固定搬送ローラ１９との接線方向に対して略直交するため、第１可動搬送ローラ２０を第１固定搬送ローラ１９に対して正確に位置決めし、両搬送ローラ１９、２０の位置ズレに起因する搬送不良を防止することができる。
【００３６】
以上、本発明の一実施形態を図面に沿って説明したが、本発明は前記実施形態において示された事項に限定されず、特許請求の範囲及び発明の詳細な説明の記載、並びに周知の技術に基づいて、当業者がその変更・応用を行うことができる範囲が含まれる。
【００３７】
【発明の効果】
以上の如く本発明によれば、蓋体の開操作時に、プリンタ内部部材との干渉を回避しつつ、プラテンや搬送ローラを退避させるものでありながら、蓋体の円滑な開閉を阻害したり、プリンタの大型化を招く不都合がないうえに、プリンタの周囲に広いスペースを確保する必要がなく、しかも、可動プラテンを正確に位置決めして印字不良や搬送不良を防止することができる。
【図面の簡単な説明】
【図１】プリンタの蓋体閉状態を示す斜視図である。
【図２】プリンタの蓋体開状態を示す斜視図である。
【図３】プリンタユニットの蓋体閉状態を示す斜視図である。
【図４】プリンタユニットの蓋体開状態を示す斜視図である。
【図５】プリンタユニットの側断面図である。
【図６】蓋体全開状態を示すプリンタユニットの側面図である。
【図７】蓋体半開状態を示すプリンタユニットの側面図である。
【図８】係合レバーがガイド部材に当った状態を示すプリンタユニットの側面図である。
【図９】可動プラテンが回動を開始した状態を示すプリンタユニットの側面図である。
【図１０】蓋体が全閉位置に至る直前の状態を示すプリンタユニットの側面図である。
【図１１】蓋体全閉状態を示すプリンタユニットの側面図である。
【図１２】分岐体の斜視図である。
【符号の説明】
Ｐ１  ロール紙
Ｐ２  単票紙
１０  プリンタ
１３  ロール紙収納部
１４  単票紙挿入口
１６  印字ヘッド
１７  可動プラテン
１８  分岐体
１９  第１固定搬送ローラ
２０  第１可動搬送ローラ
２１  第２固定搬送ローラ
２２  第２可動搬送ローラ
２３  ロール紙排出口
２５  単票紙排出口
２８  蓋体
３５  ガイド部材
３６  係合レバー
３７  位置決めガイド部
３８  固定ガイドピン
４１  固定刃
４３  押えバネ
【図１】
0003785955.tif 000002
【図２】
0003785955.tif 000003
【図３】
0003785955.tif 000004
【図４】
0003785955.tif 000005
【図５】
0003785955.tif 000006
【図６】
0003785955.tif 000007
【図７】
0003785955.tif 000008
【図８】
0003785955.tif 000009
【図９】
0003785955.tif 000010
【図１０】
0003785955.tif 000011
【図１１】
0003785955.tif 000012
【図１２】
0003785955.tif 000013